(57)【特許請求の範囲】
【請求項１】
対物レンズと接眼レンズとを有するファインダ光学系と、採光窓からの光で照明された視野枠をファインダ光学系内に導いてファインダ視野内に視野枠を表示する視野枠表示光学系とを有するファインダ装置において、
カラーフィルタの挿脱もしくは組み合わせにより、前記採光窓からの光を各々異なった色光に切替えるフィルタ切替え手段と、不透明なマスク板に前記複数種類の視野枠が形成され、かつこれらの視野枠には前記フィルタ切替え手段によって切替えられた色光を各々透過させる着色が施された視野枠板と、前記フィルタ切替え手段によって移動される前記カラーフィルタにより押圧され、前記複数種類の視野枠に対応するプリントモードを選択する選択スイッチとを有し、前記フィルタ切替え手段の操作に対応して前記複数種類の視野枠のうちの一つが所定の色でファインダ視野内に表示され、前記選択スイッチにより前記プリントモードが選択されることを特徴とするファインダ装置。
【請求項２】
前記視野枠板の中央に非着色の領域、もしくは孔を設け、いずれの視野枠がファインダ視野内に表示される場合でも、前記非着色の領域、もしくは孔を通った光により視野枠の表示色と同色でファインダ視野の中心が表示されることを特長とする請求項１記載のファインダ装置。
【請求項３】
対物レンズと接眼レンズとを有するファインダ光学系と、採光窓からの光で照明された視野枠をファインダ光学系内に導いてファインダ視野内に視野枠を表示する視野枠表示光学系とを有するファインダ装置において、
異種の偏光特性をもつ複数の偏光フィルタの切替えにより、前記採光窓からの光に各々異なった偏光を与えるフィルタ切替え手段と、前記複数種類の視野枠が各々異なった偏光特性をもって形成された視野枠板と、前記フィルタ切替え手段によって移動される前記偏光フィルタにより押圧され、前記複数種類の視野枠に対応するプリントモードを選択する選択スイッチとを有し、前記フィルタ切替え手段の操作に対応して前記複数種類の視野枠のうちの一つがファインダ視野内に表示され、前記選択スイッチにより前記プリントモードが選択されることを特徴とするファインダ装置。
【発明の詳細な説明】
【０００１】
【発明の属する技術分野】
本発明は、カメラやレンズ付きフイルムユニットのファインダの視野枠の変化が可能なファインダ装置に関するものである。
【０００２】
【従来の技術】
近年、カメラやレンズ付きフイルムユニットによるプリント写真の魅力や楽しみをより一層一般のユーザーに広げるために、撮影した被写体の種類や大きさによって、アスペクト比の異なるプリント写真が提供されている。このようなプリント写真として、従来の標準サイズであるＬサイズプリント（８９ｍｍ×１２７ｍｍ）に加えて、横方向の長さを倍にしたパノラマプリント（８９ｍｍ×２５２ｍｍ）、ハイビジョンテレビ放送でのアスペクト比に近似させたハイビジョンプリント（８９ｍｍ×１５８ｍｍ）等が一般に知られている。
【０００３】
このような、アスペクト比の異なるプリント写真を得る方法として、１本の写真フイルムを撮影していく途中で、写真フイルムに対する露光範囲を、レンズ付きフイルムユニットに設けられた遮光板等により制限して、Ｌサイズプリント露光範囲（２４ｍｍ×３６ｍｍ）、パノラマプリント露光範囲（１３ｍｍ×３６ｍｍ）、及びハイビジョンプリント露光範囲（２０ｍｍ×３６ｍｍ）を設定し、これにより得られた露光範囲の異なるネガフイルムから、上述した各モードのプリント写真を得る方法が知られている。
【０００４】
また、撮影時には露光範囲を固定した単一の露光範囲で全撮影コマを撮影すると同時に、プリントモードを指定するプリントデータを記録し、現像所等でのプリント時にこのプリントデータを基にして、前述したような各撮影モードの露光範囲に相当する範囲だけをプリントすることにより、各モードのプリント写真を得る方法も考えられている。
【０００５】
一方、特開平６−３０１１５７号公報で知られるように、リーダー部をパトローネから突出させることなく、フイルムを全てパトローネ内に巻き込んだ写真フイルムパトローネが提案されている。この様な写真フイルムパトローネにおいては、ハイビジョンプリント露光範囲（３０．２ｍｍ×１６．７ｍｍ）を標準の露光サイズとし、この標準の露光サイズの横方向を制限したＬサイズプリント露光範囲（２３．４ｍｍ×１６．７ｍｍ）、及び標準の露光サイズの縦方向を制限したパノラマプリント露光範囲（３０．２ｍｍ×９．５ｍｍ）が設定される。
【０００６】
このように、露光範囲を制限したり、或いはプリント範囲を指定する等の機能を有するカメラやレンズ付きフイルムユニットは、通常、各プリントモードの範囲に対応してファインダの視野枠も変えることにより、各プリントモードにおける正確なプリント範囲を、撮影者が把握できるようにしたものが多い。カメラやレンズ付きフイルムユニットのファインダの視野枠を変える方法としては、例えば、ファインダの視野範囲を最大のプリントモードに対応させておき、他のプリントモードに対応した大きさの視野枠を、このファインダに挿脱することにより、各プリントモードに対応した視野枠に切り替える方法が知られている。
【０００７】
【発明が解決しようとする課題】
前述したように、視野枠をファインダに挿脱することによりファインダから観察可能な視野枠を切替える場合、この視野枠の退避領域をユニット本体に確保する必要がある。特に、３つ以上のプリントモードに対応した視野枠に切替えを可能にする場合、視野枠は少なくとも２種類以上必要になる。
【０００８】
しかしながら、カメラやレンズ付きフイルムユニットは、多くの場合ファインダの直下に露光光路があり、必然的にユニット本体の横方向に視野枠を退避させるスペースを設けざるを得ない。その結果、視野枠を３つ以上のプリントモードに対応させる場合には、２つ以上の視野枠を並列して設けた横長の視野枠板を取りつけなければならず、カメラやレンズ付きフイルムユニットの幅が増加することになる。そして、小型、軽量が特徴であるレンズ付きフイルムユニットにおいては、このような横長の視野枠板は小型化に対する大きな障害となる。
【０００９】
本発明は、このような問題点を解決するためになされたものであり、ファインダの視野枠を複数のプリントモードに対応して切替え可能にし、且つ、小型化が可能なファインダ装置を提供することを目的とする。
【００１０】
【課題を解決するための手段】
上記目的を達成するために、本発明のファインダ装置では、カラーフィルタの挿脱もしくは組み合わせにより、採光窓からの光を各々異なった色光に切替えるフィルタ切替え手段と、不透明なマスク板に複数種類の視野枠が形成され、かつこれらの視野枠にはフィルタ切替え手段によって切替えられた色光を各々透過させる着色が施された視野枠板と、前記フィルタ切替え手段によって移動される前記カラーフィルタにより押圧され、前記複数種類の視野枠に対応するプリントモードを選択する選択スイッチとを有し、前記フィルタ切替え手段の操作に対応して前記複数種類の視野枠のうちの一つが所定の色でファインダ視野内に表示され、前記選択スイッチにより前記プリントモードが選択されるようにしたものである。
【００１１】
請求項２においては、前記視野枠板の中央に非着色の領域、もしくは孔を設け、いずれの視野枠がファインダ視野内に表示される場合でも、前記非着色の領域、もしくは孔を通った光により視野枠の表示色と同色でファインダ視野の中心が表示されるようにしたものである。
【００１２】
請求項３においては、異種の偏光特性をもつ複数の偏光フィルタの切替えにより、採光窓からの光に各々異なった偏光を与えるフィルタ切替え手段と、複数種類の視野枠が各々異なった偏光特性をもって形成された視野枠板と、前記フィルタ切替え手段によって移動される前記偏光フィルタにより押圧され、前記複数種類の視野枠に対応するプリントモードを選択する選択スイッチとを有し、前記フィルタ切替え手段の操作に対応して前記複数種類の視野枠のうちの一つがファインダ視野内に表示され、前記選択スイッチにより前記プリントモードが選択されるようにしたものである。
【００１３】
【発明の実施の形態】
図２は、本発明のファインダ装置を搭載したレンズ付きフイルムユニットの外観斜視図であり、図１は、図２のファインダ要部の説明図である。レンズ付きフイルムユニット２は、ハイビジョンモード、パノラマモード、及びＬサイズモードの３種類のプリントモードから、何れか１つを選択してプリントデータとして写真フイルムに記録することが可能である。
【００１４】
レンズ付きフイルムユニット２は、大別してユニット本体３と、これを覆う外箱４とからなっている。ユニット本体３には、周知の撮影機構（図示せず）、写真フイルムパトローネ（図示せず）、及び、後述するファインダ視野枠切替え機構１、プリントモード記録装置２０が内蔵されている。
【００１５】
ユニット本体３の前面には、撮影レンズ５、ファインダ装置６、プリントモードを選択する操作部７ａ、８ａ、９ａが露出しており、上面には、撮影枚数表示板１１、及びレリーズボタン１２が露出している。ユニット本体３の背面には、写真フイルムを巻き上げるための巻き上げノブ１３が露出している。
【００１６】
ファインダ装置６は、図３に示すように、ファインダ光学系である被写体光路１４と視野枠表示光学系である採光光路１５とから構成される、採光式逆ガリレオファインダである。このファインダ装置６の視野範囲はハイビジョンモードに対応している。被写体光路１４には、接眼レンズ１４ａ、対物レンズ１４ｂ、及びこの間に配置されるハーフミラー１４ｃとが設けられている。
【００１７】
採光光路１５には、擦りガラス１５ａ、ミラー１５ｂ、及びファインダ視野枠切替え機構１を構成する視野枠板１８とが設けられている。そして、この採光光路１５の近傍には、ファインダ装置６を構成するファインダ視野枠切替え機構１の主要部分が設けられる。擦りガラス１５ａは、この採光光路１５に入射する自然光を均一な白色光にする。また、ミラー１５ｂは、後ほど詳述するファインダ視野枠切替え機構１を経た視野枠の像を、被写体光路１４のハーフミラー１４ｃに入射させる。
【００１８】
ファインダ装置６を構成するファインダ視野枠切替え機構１は、図１に示すように、採光光路１５内に設けられる視野枠板１８、採光光路１５内に挿脱可能な３枚のフィルタ７，８，９、これらフィルタ７〜９を採光光路１５内から脱する方向に付勢するバネ１６ａ〜１６ｃ、係止レバー１７とこれを付勢するバネ１７ａとから構成されている。
【００１９】
視野枠板１８は、不透明なマスク板１８ｃにパノラマモードとＬサイズモードに各々対応した視野枠１８ａ、１８ｂ、及び透明領域１８ｄを設けたものである。この内、Ｌサイズモードに対応した視野枠１８ａは、赤色の波長域の光だけを透過する赤色の枠であり、パノラマモードに対応した視野枠１８ｂは、青色の波長域の光だけを透過する青色の枠である。
【００２０】
フィルタ７は、採光光路１５に入射した均一な白色光の内、視野枠１８ａと同じ青色の波長域の光だけを透過し、また、フィルタ８は、視野枠１８ｂと同じ赤色の波長域の光だけを透過する。さらに、フィルタ９は、全ての光を遮断する遮光板である。これらフィルタ７，８，９の右下端には、係止レバー１７と係合する突起７ｃ，８ｃ，９ｃが各々設けられている。また、左側には、端部にツマミを有する操作部７ａ，８ａ，９ａが各々一体に設けられている。
【００２１】
そして、これらフィルタ７〜９は、各々、採光光路１５内に挿入された挿入位置Ｌと、この挿入位置Ｌから外れた退避位置Ｒとの間で移動可能に取りつけられ、バネ１６ａ〜１６ｃにより、退避位置Ｒの方向に各々付勢されている。
【００２２】
係止レバー１７は、突起７ｃ、８ｃ、９ｃと係合する係止部１７ｂ、及びリセット部１７ｃが一体に設けられ、ユニット本体３に突設された軸３ａに軸着している。そして、バネ１７ａにより反時計方向に付勢されている。
【００２３】
このような構成により、例えば、図４（Ａ）のように、フィルタ７が挿入位置Ｌにセットされている状態から、操作部８ａを操作してフィルタ８を挿入位置Ｌにセットしようとすると、フィルタ８の突起８ｃと係止レバー１７の係止部１７ｂが当接し、係止レバー１７はバネ１７ａの付勢に反して時計方向に回動する。
【００２４】
すると、挿入位置Ｌにあったフィルタ７の突起７ｃと係止部１７ａとの係合が解除され、フィルタ７はバネ１６ａにより退避位置Ｒに戻る。そして、フィルタ８の突起８ｃが係止部１７ｂを乗り越えると、係止レバー１７はバネ１７ａにより反時計方向に回動し、今度は突起８ｃと係止部１７ｂとが係合して、フィルタ８が挿入位置Ｌにセットされる（図４（Ｂ）参照）。
【００２５】
さらに、図３（Ｂ）のように、フィルタ８が挿入位置Ｌにセットされている状態から、操作部９ａを操作してフィルタ９を挿入位置Ｌにセットしようとすると、図４（Ｃ）ように、フィルタ９の突起９ｃと係止レバー１７の係止部１７ｂが当接し、係止レバー１７はバネ１７ａの付勢に反して時計方向に回動する。
【００２６】
すると、挿入位置Ｌにあったフィルタ８の突起８ｃと係止部１７ｂとの係合が解除され、フィルタ８はバネ１６ｂにより退避位置Ｒに戻る。そして、突起９ｃと係止部１７ａとが係合して、フィルタ９が挿入位置Ｌにセットされる。
【００２７】
フィルタ７、８は、挿入位置Ｌにセットされたときに、図５に示すプリントモード記録装置２０を構成する選択スイッチ２１の操作部材２１ａ、２１ｂに各々右上端が当接し押圧操作する。プリントモード記録装置２０は、操作部材２１ａ、２１ｂによるプリントモードの選択により、ユニット本体３に内蔵される写真フイルムに、プリントモードを指定するプリントデータを記録するものであり、選択スイッチ２１、２つの発光ダイオード２２ａ、２２ｂ、電源２３、ワンショットマルチバイブレータ２４、及びメインスイッチ２５等から構成される。
【００２８】
発光ダイオード２２ａ、２２ｂは、一定時間発光することにより、図５に示す写真フイルム３０の各撮影コマ３０ａの下部に設定されたデータ記録領域３０ｂに、矩形のマークを露光する。メインスイッチ２５は、ユニット本体３のレリーズボタン９に連動して閉じられる（オン状態になる）。また、ワンショットマルチバイブレータ２４は、メインスイッチ２５のオンにより、一定幅のパルスを出力する。
【００２９】
このような構成により、フィルタ７が挿入位置Ｌにセットされると、フィルタ７の右上端が操作部材２１ａを押圧し、選択スイッチ２１は発光ダイオード２２ａ、２２ｂを何れもプリントモード記録装置２０の回路に接続する。そして、レリーズボタン１２を押圧すると、レンズ付きフイルムユニット２のシャッタ機構が動作すると共に、メインスイッチ２５が閉じられ、ワンショットマルチバイブレータ２４が一定幅のパルスを発生する。これにより、発光ダイオード２２ａ、２２ｂは一定時間発光し、図６（Ａ）に示すように、写真フイルム３０のデータ記録領域３０ｂに、矩形のマークを２つ露光する事で表現される、パノラマプリントデータ３２を記録する。
【００３０】
また、フィルタ８が挿入位置Ｌにセットされると、今度はフィルタ８の右上端が操作部材２１ｂを押圧し、選択スイッチ２１は発光ダイオード２２ａだけを回路に接続するので、レリーズボタン９を押圧すると、シャッタ機構が動作すると共に、発光ダイオード２２ａだけが一定時間発光する。そして、図６（Ｂ）に示すように、写真フイルム３０のデータ記録領域３０ｂに、矩形のマークを１つ露光する事で表現される、Ｌサイズプリントデータ３３が記録される。
【００３１】
さらに、フィルタ９が挿入位置Ｌにセットされると、選択スイッチ２１の操作部材２１ａ、２１ｂは何れも押圧されないので、選択スイッチ２１は発光ダイオード２２ａ、２２ｂを共に回路に接続しない。従って、レリーズボタン９を押圧しても、図６（Ｃ）に示すように、写真フイルム３０のデータ記録領域３０ｂには、矩形のマークは全く露光されない。これにより、この撮影コマはハイヒジョンプリントに指定される。
【００３２】
以上のような構成の実施例の作用について説明する。本発明のファインダ視野枠切替え機構１が搭載されたレンズ付きフイルムユニット２を用いて写真撮影を行う場合、まず、巻き上げノブ１３を回動させて未露光の撮影コマをセットする。そして、被写体の構成等に応じて、操作部７ａ、８ａ、９ａを操作して希望するプリントモードにセットする。
【００３３】
例えば、フィルタ９が挿入位置Ｌにセットされ、ファインダ装置６の視野は本来のハイビジョンモードに対応している状態から、操作部７ａを右側に移動させてパノラマモードにセットしようとすると、まず、フィルタ７の突起７ｃと係止レバー１７の係止部１７ｂが当接し、係止レバー１７はバネ１７ａの付勢に反して時計方向に押し下げられる。すると、挿入位置Ｌにあったフィルタ９の突起９ｃと係止部１７ｂとの係合が解除され、フィルタ９はバネ１６ｃにより退避位置Ｒに戻る。
【００３４】
さらに操作部７ａを右側に移動させると、フィルタ７の突起７ｃが係止部１７ｂを乗り越え、係止レバー１７はバネ１７ａにより反時計方向に回動する。そして、図４（Ａ）のように、突起７ｃと係止部１７ａとが係合して、フィルタ７が挿入位置Ｌにセットされる。
【００３５】
フィルタ７が挿入位置Ｌにセットされると、擦りガラス１５ａを介して採光光路１５に入射する均一な白色光は、青色の波長域の光だけを透過するフィルタ７により、緑色の波長域、及び赤色の波長域がカットされ、青色光になる。そして、この青色光が、視野枠１８ａ、１８ｂが設けられている視野枠板１８に入射すると、赤色の枠である視野枠１８ａは青色光を全てカットするので、視野枠１８ａは黒色になってマスク板１８ｃと視覚的に一体になり、視野枠１８ａの輪郭が視覚的に消失する。
【００３６】
一方、青色の波長域の光だけを透過する青色の枠である視野枠１８ｂに、フィルタ７による青色光が入射すると、この青色光はそのまま透過する。その結果、フィルタ７からの青色光が視野枠板１８に入射すると、青色の枠である視野枠１８ｂの輪郭像が青くくっきりと浮かび上がる。また、視野枠１８ａの輪郭像は黒色になってマスク板１８ｃと視覚的に一体になり視覚的に消失する。
【００３７】
このようにして、パノラマモードに対応した視野枠１８ｂの青い輪郭像だけを含んだ青色光は、ミラー１５ｂで反射し、被写体光路１４のハーフミラー１４ｃに入射する。
【００３８】
一方、被写体光路１４の対物レンズ１４ｂに入射した被写体像は、収束されてハーフミラー１４ｃに入射する。ここで、採光光路１５からハーフミラー１４ｃに入射する視野枠１８ｂの青い輪郭像と一体になり、接眼レンズ１４ａを介して撮影者に観察される。これにより、撮影者が操作部７ａを右側に移動させてパノラマモードにセットしてファインダ装置６を覗けば、被写体像と共に、パノラマモードのプリント範囲を示す視野枠１８ｂの青い輪郭像とが一体に観察でき、容易にパノラマモードのプリント範囲を把握することができる。
【００３９】
これと同時に、フィルタ７の右上端が操作部材２１ａを押圧し、選択スイッチ２１は発光ダイオード２２ａ、２２ｂを両方共プリントモード記録装置２０の回路に接続する位置に切り替えられる。そして、撮影者は、被写体像と共に視野枠１８ｂの輪郭像が青くくっきりと浮かび上がったファインダ装置６を覗き、被写体がこの視野枠１８ｂの輪郭内に収まっているか確認した後、レリーズボタン１２を押圧する。
【００４０】
レリーズボタン１２を押圧すると、レンズ付きフイルムユニット２のシャッタ機構が動作すると共に、メインスイッチ２５が閉じられ、ワンショットマルチバイブレータ２４が一定幅のパルスを発生する。選択スイッチ２１は発光ダイオード２２ａ、２２ｂを両方共プリントモード記録装置２０の回路に接続する位置に切り替えられているので、発光ダイオード２２ａ、２２ｂ両方とも一定時間発光する。その結果、図６（Ａ）に示す写真フイルム３０のデータ記録領域３０ｂに、矩形のマークを２つ露光する事で表現される、パノラマプリントデータ３２が記録される。
【００４１】
再び巻き上げノブ１３を回動させて、今度はＬサイズモードを選択するために、操作部８ａを操作してフィルタ８を挿入位置Ｌにセットしようとすると、フィルタ８の突起８ｃと係止レバー１７の係止部１７ｂが当接し、係止レバー１７はバネ１７ａの付勢に反して時計方向に回動する。
【００４２】
そして、挿入位置Ｌにあったフィルタ７の突起７ｃと係止部１７ｂとの係合が解除され、フィルタ７はバネ１６ａにより退避位置Ｒに戻る。さらにフィルタ８を右側に移動させ、突起８ｃが係止部１７ｂを乗り越えると、係止レバー１７はバネ１７ａにより反時計方向に回動し、図４（Ｂ）に示すように、今度は突起８ｃと係止部１７ｂとが係合して、フィルタ８が挿入位置Ｌにセットされる。
【００４３】
フィルタ８が挿入位置Ｌにセットされると、擦りガラス１５ａを介して採光光路１５に入射する均一な白色光は、赤色の波長域の光だけを透過するフィルタ８により、青色の波長域、及び緑色の波長域がカットされ、赤色光になる。そして、この赤色光が、視野枠１８ａ、１８ｂが設けられている視野枠板１８に入射すると、青色の枠である視野枠１８ｂは、赤色光を全てカットするので、視野枠１８ｂは黒色になってマスク板１８ｃと視覚的に一体になり、視野枠１８ｂの輪郭が視覚的に消失する。
【００４４】
一方、赤色の波長域の光だけを透過する赤色の枠である視野枠１８ａに、フィルタ８による赤色光が入射すると、この赤色光はそのまま透過する。その結果、フィルタ８からの赤色光が視野枠板１８に入射すると、赤色の枠である視野枠１８ａの輪郭像が赤くくっきりと浮かび上がる。また、視野枠１８ｂの輪郭像は黒色になってマスク板１８ｃと視覚的に一体になり視覚的に消失する。
【００４５】
このようにして、Ｌサイズモードに対応した視野枠１８ａの赤い輪郭像は、ミラー１５ｂで反射し、被写体光路１４のハーフミラー１４ｃに入射する。一方、被写体光路１４の対物レンズ１４ｂに入射した被写体像は、収束されてハーフミラー１４ｃに入射し、採光光路１５からの視野枠１８ａの赤い輪郭像と一体になり、接眼レンズ１４ａを介して撮影者に観察される。これにより、撮影者が操作部７ａを右側に移動させてＬサイズモードにセットしてファインダ装置６を覗けば、被写体像と共に、Ｌサイズモードのプリント範囲を示す視野枠１８ａの赤い輪郭像とが一体に観察でき、容易にＬサイズモードのプリント範囲を把握することができる。
【００４６】
これと同時に、フィルタ８の右上端が操作部材２１ｂを押圧し、選択スイッチ２１は発光ダイオード２２ａだけをプリントモード記録装置２０の回路に接続する位置に切り替えられる。そして、撮影者は、被写体像と共に視野枠１８ａの輪郭像が赤くくっきりと浮かび上がったファインダ装置６を覗き、被写体がこの視野枠１８ａの輪郭内に収まっているか確認した後、レリーズボタン１２を押圧する。
【００４７】
レリーズボタン１２を押圧すると、レンズ付きフイルムユニット２のシャッタ機構が動作すると共に、メインスイッチ２５が閉じられ、ワンショットマルチバイブレータ２４が一定幅のパルスを発生する。選択スイッチ２１は発光ダイオード２２ａだけをプリントモード記録装置２０の回路に接続する位置に切り替えられているので、発光ダイオード２２ａだけが一定時間発光する。その結果、図６（Ｂ）に示す写真フイルム３０のデータ記録領域３０ｂに、矩形のマークを１つ露光する事で表現される、Ｌサイズプリントデータ３３が記録される。
【００４８】
さらに、操作部９ａを操作して、ファインダ装置６の視野を本来のハイビジョンモードにする時には、操作部９ａを右側に移動させると、図４（Ｃ）ように、フィルタ９の突起９ｃと係止レバー１７の係止部１７ｂが当接し、係止レバー１７はバネ１７ａの付勢に反して時計方向に回動する。
【００４９】
そして、挿入位置Ｌにあったフィルタ８の突起８ｃと係止部１７ａとの係合が解除され、フィルタ８はバネ１６ｂにより退避位置Ｒに戻り、突起９ｃと係止部１７ｂとが係合して、フィルタ９が挿入位置Ｌにセットされる。
【００５０】
フィルタ９が挿入位置Ｌにセットされると、擦りガラス１５ａを介して採光光路１５に入射する均一な白色光は、遮光板であるフィルタ９により全ての波長域がカットされるので、この採光光路１５からは、ハーフミラー１４ｃに光が全く入射しない。このため、接眼レンズ１４ａから撮影者に観察される像は、被写体光路１４の対物レンズ１４ｂを介して入射する被写体像だけであり、視野枠１８ａ，１８ｂの輪郭像は見ることができない。
【００５１】
これにより、撮影者が操作部９ａを右側に移動させて、標準モードであるハイビジョンモードにセットしてファインダ装置６を覗けば、被写体像だけが観察でき、ファインダ装置６の視野範囲であるハイビジョンモードのプリント範囲を把握することができる。
【００５２】
そして、フィルタ９が挿入位置Ｌにセットされても、選択スイッチ２１の操作部材２１ａ、２１ｂは何れも押圧されないので、選択スイッチ２１は発光ダイオード２２ａ、２２ｂを共に回路に接続しない。従って、レリーズボタン９を押圧しても、図６（Ｃ）に示すように、写真フイルム３０のデータ記録領域３０ｂには、矩形のマークは全く露光されない。これにより、この撮影コマはハイヒジョンプリントに指定される。
【００５３】
この様にして撮影されたレンズ付きフイルムユニット２の写真フイルムは、各撮影コマの下側にプリントデータが露光されていない撮影コマは、印画紙にハイビジョンサイズでプリントし、パノラマプリントデータ３２、又はＬサイズプリントデータ３３が露光されている撮影コマは、各々パノラマサイズ、Ｌサイズで印画紙にプリントする。
【００５４】
なお、撮影者が誤って操作部７ａ、８ａ、９ａを同時に右側に動かすなどして、フィルタ７、８及びフィルタ９がいずれも挿入位置Ｒにセットされてしまった場合には、図２に示すフィルタ９をさらに右側のリセット位置まで動かす。これにより、フィルタ９の突起９ｃが係止レバー１７のリセット部１７ｃに当接して係止レバー１７が時計方向に回動し、フィルタ７、８の突起７ｃ、８ｃと係止部１７ｂとの係合が解除され、フィルタ７、８は共に退避位置Ｌに戻る。
【００５５】
なお、上述した実施の形態では、フィルタ、及び視野枠の各々について、青、及び赤の波長域の光を透過するようにしているが、もちろん、任意の波長域の光を透過するフィルタ、及び視野枠を用いてもよく、また、２種類以上の異なる波長域の光を透過する、複数のフィルタ、及び視野枠を組み合わせて用いてもよい。
【００５６】
また、上述した実施の形態では、ファインダの視野枠をパノラマ、Ｌサイズの各モードに対応した視野枠に切り替えているが、もちろん、これ以外の任意のプリントモードに対応して、ファインダの視野枠を切り替えてもよい。
【００５７】
さらに、カラーフィルタと着色が施された視野枠板を用いずに、異なる偏光特性を有する複数種類の視野枠を形成した視野枠板と、この複数種類の視野枠のうち特定の視野枠だけを視認できるようにする偏光フィルタを組み合わせることによりファインダの視野枠を切り替えるようにしてもよい。
【００５８】
【発明の効果】
以上、詳細に説明したように、本発明のファインダ装置によれば、カラーフィルタの挿脱もしくは組み合わせにより、採光窓からの光を各々異なった色光に切替えるフィルタ切替え手段と、不透明なマスク板に複数種類の視野枠が形成され、かつこれらの視野枠にはフィルタ切替え手段によって切替えられた色光を各々透過させる着色が施された視野枠板とを有し、前記フィルタ切替え手段の操作に対応して前記複数種類の視野枠のうちの一つが所定の色でファインダ視野内に表示されるようにしたので、ファインダの視野枠を複数のプリントモードに対応して切替え可能になり、且つ、小型化が可能なファインダ装置を提供することができる。
【図面の簡単な説明】
【図１】本発明のファインダ装置の説明図である。
【図２】本発明のファインダ装置を組み込んだレンズ付きフイルムユニットの外観斜視図である。
【図３】図２のファインダ部分を示す断面図である。
【図４】図１のファインダ装置の各モードでの様子を示した説明図である。
【図５】図２のレンズ付きフイルムユニットに内蔵されるプリントモード記録装置の回路図である。
【図６】図２のレンズ付きフイルムユニットで撮影した写真フイルムを示す説明図である。
【符号の説明】
１  ファインダ視野枠切替え機構
２  レンズ付きフイルムユニット
３  ユニット本体
６  ファインダ装置
７、８、９  フィルタ
１７  係止レバー
【図１】
0003566422.tif 000002
【図２】
0003566422.tif 000003
【図３】
0003566422.tif 000004
【図４】
0003566422.tif 000005
【図５】
0003566422.tif 000006
【図６】
0003566422.tif 000007